(57)【要約】【課題】分電盤において、電流センサからの出力線の配線を簡単にし、かつ、出力線を断線し難くして、出力信号の伝送の信頼性を高くする。【解決手段】分電盤１は分岐回路を流れる電流を検出する電流センサと、電流センサの出力信号を演算処理する信号処理回路と電流センサの出力信号を信号処理回路に伝送する情報伝送部４とを備える。情報伝送部４は、電流センサの出力信号を信号処理回路に伝送する伝送路を有し、電流センサは伝送路と接続点により接続されている。伝送路により電流センサの出力信号を伝送するので、電流センサからの出力線の配線が不要となり、また、伝送路の断線がないので出力信号の伝送の信頼性が向上する。【選択図】図２
2008136282.tif 000002
【特許請求の範囲】
【請求項１】
主幹回路にある主幹ブレーカと、この主幹回路から分岐した複数の分岐回路にある分岐ブレーカとを備える分電盤において、
前記分岐ブレーカ内、又は前記分岐回路の近傍に設けられ、個々の分岐回路を流れる電流に関する情報を検出する情報検出部と、
前記情報検出部の出力信号を演算処理する信号処理部と、
前記情報検出部の出力信号を前記信号処理部に伝送する情報伝送部材と、を備え、
前記情報伝送部材は、前記情報検出部の出力信号を取得する情報取得部と、前記情報取得部により取得した情報を前記信号処理部に出力する情報出力部と、前記情報取得部と情報出力部とを接続する伝送路と、を有することを特徴とする分電盤。
【請求項２】
前記情報伝送部材は、プリント基板により構成され、前記情報検出部の入出力信号を変換する入出力信号変換部が前記情報取得部と伝送路の間に配設されたことを特徴とする請求項１に記載の分電盤。
【請求項３】
前記情報検出部は、前記情報伝送部材上に一体に形成され、前記分岐回路の電路を貫通させ、該電路を流れる電流を検出する電流センサであることを特徴とする請求項１又は請求項２に記載の分電盤。
【請求項４】
前記電流センサは、前記プリント基板の表面と裏面であって前記電路が貫通する挿通孔の周囲に設けられた金属箔パターンと、該プリント基板を貫通して前記金属箔パターンを接続するスルーホールと、を有する空芯コイルであることを特徴とする請求項３に記載の分電盤。
【請求項５】
前記空芯コイルは、前記挿通孔の周囲を取り囲むトロイダルコイルと巻き戻しコイルとを有するロゴスキー型の空芯コイルであることを特徴とする請求項４に記載の分電盤。
【請求項６】
前記情報出力部に接続される情報計測ユニットを備え、
前記情報計測ユニットは、前記信号処理部と、その信号処理の結果の判断を行なう判断部とを有することを特徴とする請求項１乃至請求項５のいずれか一項に記載の分電盤。
【請求項７】
前記情報計測ユニット内に電源回路を備え、
前記情報検出部及び情報取得部のいずれか一方又は両方に、前記電源回路より直流電源を供給する電源供給路を、前記情報伝送部材に有することを特徴とする請求項６に記載の分電盤。
【請求項８】
前記情報検出部は、前記分岐ブレーカ内に配設されており、前記情報取得部との間でデータ通信可能に構成されていることを特徴とする請求項1に記載の分電盤
【請求項９】
前記情報検出部は、電流センサであり、
前記分岐ブレーカは、
分岐回路を流れる電流を検出する電流検出部と、
電流の異常を判断する異常判断部と、
前記異常判断部により異常判断されたときに回路を遮断する引外し部と、を有する電子式ブレーカであることを特徴とする請求項８に記載の分電盤
【発明の詳細な説明】
【技術分野】
【０００１】
本発明は、電流センサを有する分電盤に関する。
【背景技術】
【０００２】
従来から、主幹ブレーカ及び分岐ブレーカを備え、分岐ブレーカに流れる電流を検出する電流センサを備える分電盤が知られている。この種の分電盤においては、複数の分岐ブレーカのそれぞれにＣＴ（ＣＵＲＲＥＮＴ  ＴＲＡＮＳＦＯＲＭＥＲ）からなる電流センサが設けられ、各電流センサから個々に出力線が導出され通電表示ブロックに接続されている。この通電表示ブロックには、各電流センサの出力電流により点灯する発光ダイオードが設けられ、分岐ブレーカにおける通電状態の表示が行えるようになっている（例えば特許文献１参照）。
【０００３】
しかしながら、分岐ブレーカ毎に電流センサが設けられているので、分電盤内に電流センサを設置する際には、分岐ブレーカの数だけ電流センサの取り付けを行わなければならず、分岐ブレーカの数が多くなればなるほど電流センサの取り付け及び分電盤の施工に多くの手間と時間がかかっていた。また、各電流センサから通電表示ブロックへ出力線が出ているために配線に手間がかかると共に、出力線の断線の虞もあった。
【特許文献１】特開平６−１６５３２０号公報
【発明の開示】
【発明が解決しようとする課題】
【０００４】
本発明は、上記従来の問題を解決するためになされたものであり、電流センサからの出力線の配線が簡単で、かつ、出力線が断線し難く、出力信号の伝送の信頼性が高い分電盤を提供することを目的とする。
【課題を解決するための手段】
【０００５】
上記目的を達成するために請求項１の発明は、主幹回路にある主幹ブレーカと、この主幹回路から分岐した複数の分岐回路にある分岐ブレーカとを備える分電盤において、前記分岐ブレーカ内、又は前記分岐回路の近傍に設けられ、個々の分岐回路を流れる電流に関する情報を検出する情報検出部と、前記情報検出部の出力信号を演算処理する信号処理部と、前記情報検出部の出力信号を前記信号処理部に伝送する情報伝送部材と、を備え、前記情報伝送部材は、前記情報検出部の出力信号を取得する情報取得部と、前記情報取得部により取得した情報を前記信号処理部に出力する情報出力部と、前記情報取得部と情報出力部とを接続する伝送路と、を有するものである。
【０００６】
請求項２の発明は、請求項１に記載の分電盤において、前記情報伝送部材は、プリント基板により構成され、前記情報検出部の入出力信号を変換する入出力信号変換部が前記情報取得部と伝送路の間に配設されたものである。
【０００７】
請求項３の発明は、請求項１又は請求項２に記載の分電盤において、前記情報検出部は、前記情報伝送部材上に一体に形成され、前記分岐回路の電路を貫通させ、該電路を流れる電流を検出する電流センサであるものである。
【０００８】
請求項４の発明は、請求項３に記載の分電盤において、前記電流センサは、前記プリント基板の表面と裏面であって前記電路が貫通する挿通孔の周囲に設けられた金属箔パターンと、該プリント基板を貫通して前記金属箔パターンを接続するスルーホールと、を有する空芯コイルであるものである。
【０００９】
請求項５の発明は、請求項４に記載の分電盤において、前記空芯コイルは、前記挿通孔の周囲を取り囲むトロイダルコイルと巻き戻しコイルとを有するロゴスキー型の空芯コイルであるものである。
【００１０】
請求項６の発明は、請求項１乃至請求項５のいずれか一項に記載の分電盤において、前記情報出力部に接続される情報計測ユニットを備え、前記情報計測ユニットは、前記信号処理部と、その信号処理の結果の判断を行なう判断部とを有するものである。
【００１１】
請求項７の発明は、請求項６に記載の分電盤において、前記情報計測ユニット内に電源回路を備え、前記情報検出部及び情報取得部のいずれか一方又は両方に、前記電源回路より直流電源を供給する電源供給路を、前記情報伝送部材に有するものである。
【００１２】
請求項８の発明は、請求項1に記載の分電盤において、前記情報検出部は、前記分岐ブレーカ内に配設されており、前記情報取得部との間でデータ通信可能に構成されているものである。
【００１３】
請求項９の発明は、請求項８に記載の分電盤において、前記情報検出部は、電流センサであり、前記分岐ブレーカは、分岐回路を流れる電流を検出する電流検出部と、電流の異常を判断する異常判断部と、前記異常判断部により異常判断されたときに回路を遮断する引外し部と、を有する電子式ブレーカであるものである。
【発明の効果】
【００１４】
請求項１の発明によれば、分岐回路毎の情報検出部への配線が不要となるので、施工の手間が軽減され、また、断線がないので伝送の信頼性が向上する。
【００１５】
請求項２の発明によれば、信号の伝送の信頼性が向上し、低コストとなる。
【００１６】
請求項３の発明によれば、情報検出部が情報伝送部材と一体形成されるので、信号の伝送の信頼性が更に向上する。
【００１７】
請求項４の発明によれば、電流センサがプリント基板に一体に形成されるので、信号の伝送の信頼性が向上する。
【００１８】
請求項５の発明によれば、外部磁界の影響が軽微になるので、測定精度の低下を防止できる。
【００１９】
請求項６の発明によれば、各分岐回路の情報を集約して、種々のデータ処理を行なうことができる。
【００２０】
請求項７の発明によれば、電源供給を情報伝送部材を用いて行なうことができ、低コストとなる。
【００２１】
請求項８の発明によれば、情報検出部を設けるための特別なスペースを必要としないので、分電盤を小型化することができる。また、近距離で通信を行なうので低コストであり、信頼性が高い。
【００２２】
請求項９の発明によれば、電流異常時に回路を遮断する電子式ブレーカに、異常判断情報を外部に出力する機能を併せ持たせることができ、低コスト化を図ることができる。
【発明を実施するための最良の形態】
【００２３】
（第１の実施形態）
本発明の第１の実施形態に係る分電盤について図面を参照して説明する。図１は分電盤の外観を、図２は分電盤の構成を、図３は分電盤の主幹回路と分岐回路を、図４は主幹ブレーカ２の平面視を示す。分電盤１は、外部の電源から受電し、主幹回路にある主幹ブレーカ２と、この主幹回路から分岐した複数の分岐回路にある分岐ブレーカ３と、分岐回路に流れる分岐電流を検出し、検出信号を出力端に伝送する情報伝送部４と、情報伝送部４の出力端に接続されるハーネス５と、ハーネス５に接続され情報伝送部４からの出力信号を受けてユーザに表示する表示ユニット６と、分岐ブレーカ３等を保持するベース台７とを備えている。
【００２４】
分電盤１は、単相三線式の分電盤であり、外部の電源からの３本の電力線Ｎ、Ｌ１、Ｌ２を主幹ブレーカ２によって受電する。ここで電力線Ｎは、中性相である。そして、主幹ブレーカ２の負荷側の電力線に分岐ブレーカ３が接続されて分岐回路となっており、２００Ｖの場合は、電力線Ｌ１、Ｌ２に接続され、１００Ｖの場合は、電力線ＮとＬ１に、又は、ＮとＬ２とに接続される。各分岐回路には、情報伝送部４が取り付けられており、分岐回路を流れる電流を検出する。そして、分岐ブレーカ３の２次側に使用される電気機器が接続される。
【００２５】
主幹ブレーカ２は、３個の電源側端子２１と負荷側端子２２とを備えており、電源側端子と負荷側端子の間に通電をオンオフする開閉機構（図示せず）を主幹ブレーカ２の器体内に備えており、この開閉機構のオンオフ用の操作ハンドル２３が器体の前面に配されている。さらに、主幹ブレーカ２は電源側端子と負荷側端子の間に過電流が流れた際に、これらの間を遮断すると共に、操作ハンドル２３をオフ側に位置させる回路遮断機能（図示せず）を備えている。
【００２６】
次に、ベース台７について説明する。図５（ａ）は、ベース台７の部分断面の外観を、図５（ｂ）は、ベース台７の断面を示す。ベース台７は、分岐ブレーカ３と、主幹ブレーカ２の負荷側端子２２に電気的に接続される３本のメインバー７１、７２、７３等を保持する。メインバー７１、７２、７３は、主幹ブレーカ２の負荷側端子２２にネジ７４によって接続されており、メインバー７１が電力線Ｎと、メインバー７２が電力線Ｌ１と、メインバー７３が電力線Ｌ２と、繋がっている。メインバー７１は、ベース台７の長手方向両端に設けられた支柱７５に固定されている。メインバー７２、７３は、ベース台７の短手方向の両側に配設されている。メインバー７２は、ベース台７の平板部７２ａと、平板部７２ａから一体に直角に折り曲げ、更にＵ字形又はクランク状となるように折り曲げ形成された複数の分岐バー７２ｂ、７２ｃとを備えている。分岐バー７２ｂと分岐バー７２ｃとは高さ違いで、かつ、並び方向に交互に形成されている。
【００２７】
メインバー７３もメインバー７２と同様に平板部７３ａと、分岐バー７３ｂ、７３ｃを一体に備えている。
【００２８】
分岐ブレーカ３は、長方体形状であり、器体の一端側の側壁部に３個の端子部３１ａ、３１ｂ、３１ｃを有しており、この端子部によって、メインバー７１と分岐バー７２ｂ、７３ｃ又は分岐バー７３ｂ、７２ｃを挟持し、電気的に結合されている。分岐ブレーカ３は、２００Ｖでの使用時には、端子部３１ｂ、３１ｃを通電状態とし、１００Ｖでの使用時には、端子部３１ａ、３１ｃを通電状態とする切り替え機構（図示せず）を有している。
【００２９】
分岐ブレーカ３は、器体の他端側に負荷の電源線を接続するための一対の２次側端子部３２を有している。分岐ブレーカ３は器体内において、端子部３１ａ、３１ｂ、３１ｃと２次側端子部３２との間の通電をオンオフする開閉機構（図示せず）と、この開閉機構のオンオフ用の操作ハンドル３３とを有している。また、端子部３１ａ、３１ｂ、３１ｃと２次側端子部３２との間に過電流が生じた際に、端子部３１ａ、３１ｂ、３１ｃと２次側端子部３２との間を遮断すると共に、操作ハンドル３３をオフ側に位置させる回路遮断機構（図示せず）を有している。
【００３０】
次に、情報伝送部４について説明する。図６（ａ）は、情報伝送部４の正面視を、図６（ｂ）は、情報伝送部４の配設状態を示す。情報伝送部４は、プリント基板４１により構成されており、電流センサ４２であるＣＴ４３と、ＣＴ４３の出力信号を伝送する伝送路４４と、伝送路４４に繋がるコネクタ９５とを有している。ＣＴ４３は伝送路４４と接続点４４１により接続されている。本明細書でいう「プリント基板」とは、基板に電子部品や配線を実装したり形成したりすることにより、電子回路が形成されたものをいう。プリント基板４１は分岐ブレーカ３の２次側端子部３２に配設されている。ＣＴ４３がプリント基板４１の伝送路４４に接続されているので、ＣＴ４３からの出力線の配線が不要となり、施工の手間が軽減され、また、断線がないので伝送の信頼性が向上する。
【００３１】
次に、表示ユニット６について説明する。図７は表示ユニット６の平面視を示す。表示ユニット６は、表面に複数のＬＥＤ６１を、対応する分岐ブレーカ３に隣接するように有しており、また、内部に信号処理回路と判断回路と電源回路とを有している。信号処理回路は、ＣＴ４３の検出電流に増幅等の処理を行い、判断回路は、信号処理回路の出力信号と、予め設定された電流閾値との比較判断を行なう。電源回路は、外部から受電しＬＥＤ６１と信号処理回路と判断回路とに直流電源を供給している。ＬＥＤ６１は、対応する分岐ブレーカ３の分岐電流の定格電流値との比較に応じて、点灯を行ない、分岐回路に対応した位置のＬＥＤ６１が点灯するので、回路の通電状況を容易に把握することができる。
【００３２】
次に、分電盤１の電流情報の処理について説明する。図８は分電盤１の回路を示す。ＣＴ４３は、情報伝送部４において、伝送路４４に接点４４１によって接続されており、伝送路４４はコネクタ９５に接続されている。情報伝送部４のコネクタ９５は、ハーネス５によって表示ユニット６に接続されている。情報伝送部４からの出力信号は、表示ユニット６に配設されている信号処理回路６２に伝送され、判断回路６３からＬＥＤ６１に点灯の信号が出力される。
【００３３】
上記のように構成された本実施形態に係る分電盤１の動作について説明する。ＣＴ４３は、分岐回路の電流が２次側電線３３に流れると検出信号を出力し、出力された検出信号は伝送路４４によってコネクタ９５へ伝送され、ハーネス５を介して表示ユニット６へ伝送される。ＣＴ４３の出力信号は、信号処理回路６２によって増幅等の処理が行なわれ、判断回路６３によって、予め設定された電流閾値との比較判断が行なわれる。分岐回路の電流値が設定された定格電流値よりも大きいときは、表示ユニット６のＬＥＤ６１に点灯信号が出力され、ＬＥＤ６１が点灯する。
【００３４】
（第２の実施形態）
本発明の第２の実施形態に係る分電盤１について説明する。図９は本実施形態に係る分電盤１の外観を、図１０は分電盤１の構成を示す。本実施形態に係る分電盤１は第１の実施形態に係る分電盤１と情報伝送部４の構成が異なっており、また、情報計測ユニット８を備えている。
【００３５】
本実施形態に係る情報伝送部４について説明する。図１１（ａ）は、情報伝送部４の表面の外観を、図１１（ｂ）は、情報伝送部４の裏面の外観を、図１１（ｃ）は、電流センサ４２の構成を、図１１（ｄ）は、情報伝送部４の配設状態を示す。情報伝送部４は、プリント基板４１により構成されており、プリント基板４１の短手方向の一端側には、分岐バー７２ｂ、７３ｂが貫通する、円形状の複数の第１の挿通孔４１１ａが並設されており、プリント基板４１の短手方向の中央付近には、分岐バー７２ｃ、７３ｃが貫通する、複数の第２の挿通孔４１１ｂが並設されている。
【００３６】
電流センサ４２は、第１の挿通孔４１１ａの周辺部に、挿通孔４１１ａを囲むように形成されたトロイダルコイルと巻き戻しコイルとを有するロゴスキー型の空芯コイル４１２であり、プリント基板４１の表面と裏面とに設けられた金属箔パターン４１３と、プリント基板４１を貫通して金属箔パターン４１３を接続するスルーホール４１４等から構成されている。電流センサ４２がプリント基板４１と一体形成されるので、信号の伝送の信頼性が更に向上する。ＣＴ４３による電流検出の場合と比べて、コイル出力開放故障時の異常高電圧の発生がなくなり安全となる。また、プリント基板による空芯コイル４１２を用いているので、電流センサが薄型で安価であり、鉄芯がないので、電流検出特性が飽和せずに、大電流まで計測可能となり、また、軽量で小型化することができる。また、ロゴスキー型の空芯コイル４１２なので、外部磁界の影響が軽微となり、測定精度の低下を防止できる。
【００３７】
プリント基板４１の短手方向の他端側には、信号処理回路４１５と伝送回路４１６とが２個の電流センサ４２毎に配設されている。信号処理回路４１５は、２個の電流センサ４２の検出電流を時間分割によって交互にサンプリングし、増幅等の処理を行い、伝送回路４１６は、信号処理回路４１５の出力信号をデジタル変換する。プリント基板４１には、信号処理回路４１５と伝送回路４１６の入出力信号を伝送する伝送路４１７と、直流電源を供給する電源供給路４１８が設けられており、伝送路４１７と、電源供給路４１８はプリント基板４１の端部に設けられたコネクタ９５に繋がっている。プリント基板４１上でデジタル変換を行なうので信号の伝送の信頼性が向上し、低コストとなる。情報伝送部４は、第１の挿通孔４１１ａに分岐バー７２ｂ又は７３ｂが貫通され、第２の挿通孔４１１ｂに分岐バー７２ｃ又は７３ｃが貫通されてベース台７に配設されている。
【００３８】
次に、情報計測ユニット８について説明する。図１２は、情報計測ユニット８の外観を示す。情報計測ユニット８は、回路条件設定部８１を備えており、回路条件設定部８１によって、表示ユニット６により表示を行なうときの基準となる分岐回路の定格電流値を設定する。
【００３９】
情報計測ユニット８は、内部に制御回路を有しており、情報伝送部４が検出したデータと、回路条件設定部８１により設定した条件に基いて、表示ユニット６により表示を行う。また、情報計測ユニット８は内部に電源ユニットを備えており、外部から受電し、制御回路、情報伝送部４、及び表示ユニット６に直流電源を供給している。
【００４０】
次に、分電盤１の電流情報の処理について説明する。図１３は分電盤１の回路を示す。電流センサ４２は、情報伝送部４において、信号処理回路４１５と伝送回路４１６とに接続されており、信号処理回路４１５と伝送回路４１６とは、伝送路４１７と電源供給路４１８とによって、情報伝送部４のコネクタ９５に接続されている。情報伝送部４のコネクタ９５は、ハーネス５によって情報計測ユニット８に接続されている。情報伝送部４からの出力信号は、情報計測ユニット８に配設されている制御回路８２に伝送される。また、情報計測ユニット８に配設されている回路条件設定部８１は、制御回路８２と接続されており、設定された条件が制御回路８２に伝送される。制御回路８２はハーネス５によって表示ユニット６のＬＥＤ６１に接続されている。情報計測ユニット８には電源ユニット８３が配設されており、電源ユニット８３は、外部の電源から受電して、ハーネス５を介して情報伝送部４及び表示ユニット６に直流電源を供給している。各分岐回路の電流センサ４２の出力信号が情報計測ユニット８に集約されるので、種々のデータ処理を行なうことができる。
【００４１】
上記のように構成された本実施形態に係る分電盤１の動作について説明する。電流センサ４２は、挿通孔４１１ａを貫通する分岐バー７２ｂ、７３ｂに電流が流れると検出信号を出力する。プリント基板４１には、信号処理回路４１５と伝送回路４１６とが２個の電流センサ４２毎に配設されており、信号処理回路４１５は、２個の電流センサ４２の検出電流を時間分割を行なって交互にサンプリングし、増幅等の処理を行い、伝送回路４１６は、信号処理回路４１５の出力信号をデジタル変換する。デジタル変換された出力信号は、ハーネス５を介して情報計測ユニット８に配設されている制御回路８２に伝送される。情報計測ユニット８に配設されている回路条件設定部８１には、表示ユニット６のＬＥＤ６１の点灯させる条件として、分岐回路の定格電流値が設定されており、設定された条件は制御回路８２へ伝送される。
【００４２】
制御回路８２では、信号処理や判断等を行い情報伝送部４より伝送された分岐回路の電流値と回路条件設定部８１により設定された定格電流値とを比較し、分岐回路の電流値が設定された定格電流値よりも大きいときは、表示ユニット６のＬＥＤ６１に点灯信号を出力する。
【００４３】
（第３の実施形態）
本発明の第３の実施形態に係る分電盤１について説明する。図１４（ａ）は本実施形態に係る分岐ブレーカ３の外観を、図１４（ｂ）は分岐ブレーカ３の回路を、図１４（ｃ）は情報伝送部４の装着状況を、図１４（ｄ）は分岐ブレーカ３の装着状況を示す。本実施形態に係る分電盤１は、第２の実施形態に係る分電盤１と異なり、電流センサ４２を分岐ブレーカ３内に備えている。分岐ブレーカ３は、電流センサ４２を内部に有し、電流センサ４２の検出信号を出力する平板状の出力端子３４を底部に有している。情報伝送部４のプリント基板４１は、電流センサ４２の検出信号を受ける板バネ状の受信端子４５と伝送路４４とコネクタ９５を有している。コネクタ９５はハーネス５により情報計測ユニット８に接続されている。情報伝送部４は、ベース台７の上に配設されており、情報伝送部４の受信端子４５と分岐ブレーカ３の出力端子３４とが接触するように、分岐ブレーカ３が配設される。電流センサ４２の出力信号は、出力端子３４と受信端子４５と伝送路４４とを介してコネクタ９５へ伝送され、更にハーネス５によって情報計測ユニット８へ伝送される。電流センサ４２が分岐ブレーカ３内に設けられ、特別なスペースを必要としないので分電盤を小型にすることができる。
【００４４】
分岐ブレーカ３内の電流センサ４２と情報伝送部４との間の信号の伝送を光で行なってもよい。図１５（ａ）は本実施形態に係る分岐ブレーカ３の変形例の外観を、図１５（ｂ）は分岐ブレーカ３の回路を、図１５（ｃ）は分岐ブレーカ３の装着状況を示す。分岐ブレーカ３は内部に電流センサ４２とバッテリー３５とＬＥＤ３６と発光回路３７を有し、情報伝送部４はフォトトランジスタ４６と伝送路４４とコネクタ９５を有している。発光回路３７は、電流センサ４２が検出した電流値に応じて、照度を変えてＬＥＤ３６を発光させる。フォトトランジスタ４６は、ＬＥＤ３６からの光を受けて信号を出力し、フォトトランジスタ４６の出力信号は情報計測ユニット８へ伝送される。電流センサ４２と情報伝送部４との間の信号の伝送が光で行なわれるので信頼性が高く、送受信の距離が近いので低コストである。また、情報伝送部４に電源供給路を設けて、ＬＥＤ３６とフォトトランジスタ４６に直流電源を供給してもよい。電源供給を情報伝送部４を用いて行なうことができ、低コストとなる。
【００４５】
また、分岐ブレーカ３に電子式ブレーカ３８を用いてもよい。図１６（ａ）は本実施形態に係る分岐ブレーカ３の変形例の外観を、図１６（ｂ）は分岐ブレーカ３の装着状況を、図１６（ｃ）は分岐ブレーカ３の回路を示す。電子式ブレーカ３８は、電流センサ４２とブレーカ内の分岐回路を遮断する引き外し部３８１と、発光するＬＥＤ３８２とＬＥＤ３８２を介して表示ユニット６に信号を出力する送信回路３８３と、受光するフォトトランジスタ３８４とフォトトランジスタ３８４を介して表示ユニット６から信号を受信する受信回路３８５と、引き外し部３８１等を制御する制御回路３８６と、電源回路３８７を有している。電源回路３８７はバッテリーでもよいし、外部電源から受電してもよい。情報伝送部４は、ＬＥＤ３８２からの信号を受信するフォトトランジスタ４６とフォトトランジスタ３８４に信号を出力するＬＥＤ４７と、伝送路４４とコネクタ９５を有している。
【００４６】
制御回路３８６と情報計測ユニット８とは信号の送受信を行なうことができ、制御回路３８６は電流センサ４２の検出信号を情報計測ユニット８に送信し、また、情報計測ユニット８から定格電流値を受信して、分岐回路の電流値が定格電流値を超えると引き外し部３８１を駆動させて、分岐回路を遮断する。電子式ブレーカ３８に異常判断を行なうための電流値等の情報を表示ユニット６などに出力する機能を併せ持たせることができ、異常警報を発する分電盤１を低コストとすることができる。
【００４７】
なお、本発明は、上記各種実施形態の構成に限られず、発明の趣旨を変更しない範囲で種々の変形が可能である。例えば分電盤１は、単相二線式や三相式のものでもよい。また、電流センサ４２は、部品の電流センサ４２をプリント基板４１に実装してもよい。また、電流センサ４２に例えばホール素子や磁気抵抗素子を用いてもよい。また、ＬＥＤ６１に代えて、例えば液晶を用いてもよい。また、電流センサに替えて電圧や漏電を検出するセンサを用いてもよい。
【図面の簡単な説明】
【００４８】
【図１】本発明の第１の実施形態に係る分電盤の斜視図。
【図２】同分電盤の構成図。
【図３】同分電盤の主幹回路と分岐回路の回路図。
【図４】同分電盤の主幹ブレーカの平面図。
【図５】（ａ）は同分電盤のベース台の一部を破断した斜視図、（ｂ）は正面断面図。
【図６】（ａ）は同分電盤の情報伝送部の正面図、（ｂ）は同分電盤の情報伝送部を装着したときの斜視図。
【図７】同分電盤の表示ユニットの平面図。
【図８】同分電盤の回路図。
【図９】本発明の第２の実施形態に係る分電盤の斜視図。
【図１０】同分電盤の構成図。
【図１１】（ａ）は同分電盤の分岐電流センサユニットの表面の斜視図、（ｂ）は同分電盤の分岐電流センサユニットの裏面の斜視図、（ｃ）は同分電盤の電流センサの斜視図、（ｄ）は同分岐電流センサユニットを装着したときの斜視図。
【図１２】同分電盤の情報計測ユニットの斜視図。
【図１３】同分電盤の回路図。
【図１４】（ａ）は本発明の第３の実施形態に係る分岐ブレーカの斜視図、（ｂ）は同分岐ブレーカと情報伝送部の回路図、（ｃ）は同情報伝送部を装着した斜視図、（ｄ）は同分岐ブレーカを装着した斜視図。
【図１５】（ａ）は本発明の第３の実施形態の変形例に係る分岐ブレーカの斜視図、（ｂ）は同分岐ブレーカと情報伝送部の回路図、（ｃ）は同分岐ブレーカを装着した斜視図。
【図１６】（ａ）は本発明の第３の実施形態の変形例に係る分岐ブレーカの斜視図、（ｂ）は同分岐ブレーカを装着した斜視図、（ｃ）は同分岐ブレーカと情報伝送部の回路図
【符号の説明】
【００４９】
１  分電盤
２  主幹ブレーカ
３  分岐ブレーカ
３８  電子式ブレーカ
３８１  引き外し部
３８６  制御回路（異常判断部）
４  情報伝送部（情報伝送部材）
４１  プリント基板
４１１ａ  挿通孔
４１２  空芯コイル
４１３  金属箔パターン
４１４  スルーホール
４１５  信号処理回路（入出力信号変換部）
４１６  伝送回路（入出力信号変換部）
４１８  電源供給路
４２  電流センサ（情報検出部）
４３  ＣＴ（情報検出部）
４４  伝送路
４４１  接続点（情報取得部）
４５  受信端子（情報取得部）
４６  フォトトランジスタ（情報取得部）
６２  信号処理回路（信号処理部）
８  情報計測ユニット
８２  制御回路（信号処理部、判断部）
８３  電源ユニット（電源回路）
９５  コネクタ（情報出力部）
【図１】
2008136282.tif 000003
【図２】
2008136282.tif 000004
【図３】
2008136282.tif 000005
【図４】
2008136282.tif 000006
【図５】
2008136282.tif 000007
【図６】
2008136282.tif 000008
【図７】
2008136282.tif 000009
【図８】
2008136282.tif 000010
【図９】
2008136282.tif 000011
【図１０】
2008136282.tif 000012
【図１１】
2008136282.tif 000013
【図１２】
2008136282.tif 000014
【図１３】
2008136282.tif 000015
【図１４】
2008136282.tif 000016
【図１５】
2008136282.tif 000017
【図１６】
2008136282.tif 000018